(57)【要約】【課題】  ニーズに合わせてデザインを変更する際のコストを節減する構造を具えるスプレーヘッドの構造を提供する。【解決手段】  スプレーヘッドが押し圧部と、該押し圧部側面の一方に突出して形成される吐出口とを具え、さらに、固定キャップと、緩衝部と、バルブ構造部と、汲み取り管とを具えるとともに、該押し圧部が本体と、該本体に着脱自在に設けるキャップ体とを具える。【選択図】図１
0003179409.tif 000002
【実用新案登録請求の範囲】
【請求項１】
押し圧部と、該押し圧部側面の一方に突出して形成される吐出口とを具えるスプレーヘッドであって、  
該押し圧部は本体と、該本体に着脱自在に設けるキャップ体とを具え、かつ該本体の上端に突縁を形成し、該キャップ体の内周面に、該突縁に対応する係合端を形成し、該キャップ体を該本体上に設ける場合、該キャップ体の係合端が該本体の突縁に係合するように構成したことを特徴とするスプレーヘッドの構造。
【請求項２】
前記本体の上面と、前記キャップ体の底面とが、中心を共有する円形を呈することを特徴とする請求項１に記載のスプレーヘッドの構造。
【請求項３】
前記キャップ体の係合端内周面から内方向に向かって突起する鉤形部を形成し、該鉤形部と該キャップ体の内周面とによって形成される角度を９０度より小さくすることを特徴とする請求項１に記載のスプレーヘッドの構造。
【請求項４】
前記本体の突縁の該鉤形部に対応する位置に、該鉤形部を係止する係止部を形成することを特徴とする請求項３に記載のスプレーヘッドの構造。
【請求項５】
前記鉤形部と該係止部とが互いに対応する形状に形成されることを特徴とする請求項４記載のスプレーヘッドの構造。
【請求項６】
前記キャップ体に嵌合空間を形成することを特徴とする請求項１に記載のスプレーヘッドの構造。
【請求項７】
前記キャップ体の嵌合空間が、該本体の突縁に対応する形状に形成されることを特徴とする請求項６に記載のスプレーヘッドの構造。
【請求項８】
前記係合端が該嵌合空間を形成した該キャップ体の内周面に形成されることを特徴とする請求項６に記載のスプレーヘッドの構造。
【請求項９】
前記キャップ体と該本体とを同じ材質にするか、もしくは異なる材質で形成することを特徴とする請求項１に記載のスプレーヘッドの構造。
【請求項１０】
前記係合端を、弾性を有する材質によって形成することを特徴とする請求項１に記載のスプレーヘッドの構造。
【請求項１１】
前記スプレーヘッドは、さらに、固定キャップと、緩衝部と、バルブ構造部と、汲み取り管とを具え、
該固定キャップは、容器口部に連結し、
該緩衝部は、中空の管体であって、該固定キャップを貫通して上端が該本体に嵌挿し、下端が該バルブ構造部に接続し、該押し圧部が往復運動をするために供し、
バルブ構造部は、上端が該緩衝部に連結し、下端が該汲み取り管に接続し、
前記押し圧部を押し圧することによって、該バルブ構造部が該容器に収納した液体を該汲み取り管から吸引して、該吐出口から吐出するように構成したことを特徴とする請求項１に記載のスプレーヘッドの構造。
【請求項１２】
前記スプレーヘッドは、さらに断面がＣ字状を呈するストッパーを着脱自在に設け、該ストッパーのＣ字状の部分は、該緩衝部に対応した形状を呈することを特徴とする請求項１１に記載のスプレーヘッドの構造。
【請求項１３】
前記ストッパーの上端を該本体に当止する当止端とすることを特徴とする請求項１２に記載のスプレーヘッドの構造。
【請求項１４】
前記本体にガイド部を設け、該キャップ体の該ガイド部に対応する位置に位置決め部を形成することを特徴とする請求項１に記載のスプレーヘッドの構造。
【考案の詳細な説明】
【技術分野】
【０００１】
この考案は、水溶液等を収納した容器に設け、該容器内の水溶液などを汲み取り吐出させるスプレーヘッドの構造に関する。
【背景技術】
【０００２】
目下、水溶液等を収納した容器にスプレーヘッドを設け、該容器内の水溶液などをくみ取り、該スプレーヘッドから吐出させる方式は、極めて広く普及している。該容器内には一般のボディソープ、スキンケア液、又は化粧品などが収納される。係る方式は、スプレーヘッドを軽く押し圧するだけで容器内の水溶液などを吐出させることができ、使用上極めて便利である。
【０００３】
しかしながら、容器と、内容物と、スプレーヘッドとによって構成される商品の単価が高くなれば、該容器の外観は美観を得るために種々のデザインが施される。消費者の購買欲をそそるために、該容器の外観は、往々にして特別にデザインされる。よって、スプレーヘッドについても、消費者のニーズに合わせ、外観を異なるデザインに変化させている。ここにおいて、商品のデザイン変更に伴い、新たなスプレーヘッド製造用の金型の作成費用を如何にして低減させ、かつ容器のデザインに合わせたスプレーヘッドとするかが、業界における課題となっている。
【考案の概要】
【考案が解決しようとする課題】
【０００４】
そこで、この考案はデザインを変更する際のコストを節減する構造を具えるスプレーヘッドの構造を提供することを課題とする。
【課題を解決するための手段】
【０００５】
そこで、本考案者は従来の技術によるスプレーヘッドの欠点に鑑み鋭意研究を重ねた結果、押し圧部と、該押し圧部側面の一方に突出して形成される吐出口とを具え、さらに、固定キャップと、緩衝部と、バルブ構造部と、汲み取り管とを具えるとともに、該該押し圧部が本体と、該本体に着脱自在に設けるキャップ体とを具えるスプレーヘッドの構造によって課題を達成できる点に着眼し、かかる知見に基づいて本考案を完成させた。
【０００６】
以下、この考案について詳述する。
請求項１に記載するスプレーヘッドの構造は、押し圧部と、該押し圧部側面の一方に突出して形成される吐出口とを具えるスプレーヘッドであって、  
該押し圧部は本体と、該本体に着脱自在に設けるキャップ体とを具え、かつ該本体の上端に突縁を形成し、該キャップ体の内周面に、該突縁に対応する係合端を形成し、該キャップ体を該本体上に設ける場合、該キャップ体の係合端が該本体の突縁に係合するように構成する。
【０００７】
かかる構造によれば、該キャップ体を着脱自在に設けるため、キャップ体のデザインを変更するだけで、スプレーヘッドのデザインを変更することができ、デザイン変更のコストを節減することができる。
【０００８】
請求項２に記載するスプレーヘッドの構造は、請求項１における本体の上面と、前記キャップ体の底面とが、中心を共有する円形を呈する。
【０００９】
係る構造によれば、該押し圧部を押し圧する力が容易に集中し、効率よく押し圧することができる。
【００１０】
請求項３に記載するスプレーヘッドの構造は、請求項１におけるキャップ体の係合端内周面から内方向に向かって突起する鉤形部を形成し、該鉤形部と該キャップ体の内周面とによって形成される角度を９０度より小さくする。
【００１１】
請求項４に記載するスプレーヘッドの構造は、請求項３における本体の突縁の鉤形部に対応する位置に、該鉤形部に係止する係止部を形成する。
【００１２】
請求項５に記載するスプレーヘッドの構造は、請求項４における鉤形部と該係止部とが互いに対応する形状に形成される。
【００１３】
請求項６に記載するスプレーヘッドの構造は、請求項１におけるキャップ体に嵌合空空間を形成する。
【００１４】
請求項７に記載するスプレーヘッドの構造は、請求項６におけるキャップ体の嵌合空間が、該本体の突縁に対応する形状に形成される。
【００１５】
請求項８に記載するスプレーヘッドの構造は、請求項６における係合端が該嵌合空間を形成した該キャップ体の内周面に形成される。
【００１６】
上述するそれぞれの構造によれば、該キャップ体を該本体に確実に固定することができる。
【００１７】
求項９に記載するスプレーヘッドの構造は、請求項１におけるキャップ体と該本体とを同じ材質にするか、もしくは異なる材質で形成する。
【００１８】
請求項１０に記載するスプレーヘッドの構造は、請求項１における係合端を、弾性を有する材質によって形成する。
【００１９】
請求項１１に記載するスプレーヘッドの構造は、請求項１におけるスプレーヘッドが、さらに、固定キャップと、緩衝部と、バルブ構造部と、汲み取り管とを具え、
該固定キャップは容器口部に連結する、固定キャップと、
中空の管体であって、該固定キャップを貫通して上端が該本体に嵌挿し、下端が該バルブ構造部に接続し、該押し圧部が往復運動をするために供する緩衝部と、
バルブ構造部は、上端が該衝部３に連結し、下端が該汲み取り管に接続し、
該押し圧部を押し圧することによって、該バルブ構造部が該容器に収納した液体を該汲み取り管から吸引して、該吐出口から吐出するように構成する。
【００２０】
請求項１２に記載するスプレーヘッドの構造は、請求項１１におけるスプレーヘッドが、さらに断面がＣ字状を呈するストッパー具え、該ストッパーのＣ字状の部分は、該緩衝部に対応した形状を呈する。
【００２１】
請求項１３に記載するスプレーヘッドの構造は、請求項１２ストッパーの上端を該本体に当止する当止端とする。
【００２２】
かかるストッパーを着脱自在に設けることによって、該押し圧部が予期せず押し圧されて、容器の内容物が外部に吐出されることを防ぐことができる。
【００２３】
請求項１４に記載するスプレーヘッドの構造は、請求項１における本体にガイド部を設け、該キャップ体の該ガイド部に対応する位置に位置決め部を形成し、かつ該ガイド部と該キャップ体とが対応する形状に形成される。
【００２４】
かかる構造によれば、該キャップ体を本体上に設ける場合、キャップ体を容易にガイドして位置決めさせることができる。
【図面の簡単な説明】
【００２５】
【図１】この考案によるスプレーヘッドの構造を示した説明図である。
【図２】この考案によるスプレーヘッドの構造を示した断面図である。
【図３】この考案によるスプレーヘッドの構造を示した他の断面図である。
【図４】この考案によるスプレーヘッドの局部拡大断面図である。
【図５】この考案におけるストッパーとキャップ本体を示した説明図である。
【図５Ａ】他の実施の形態によるストッパーとキャップ本体を示した説明図である。
【図６】ストッパーとキャップ本体を具えたスプレーヘッドの斜視図である
【図６Ａ】他の意匠によるトッパーとキャップ本体を具えたスプレーヘッドの斜視図である
【図６Ｂ】別の意匠によるトッパーとキャップ本体を具えたスプレーヘッドの斜視図である
【図６Ｃ】さらに別の意匠によるトッパーとキャップ本体を具えたスプレーヘッドの斜視図である
【考案を実施するための形態】
【００２６】
この考案は、デザインを変更する際のコストを節減する構造を具えるスプレーヘッドの構造を提供するものであって、エアバルブ構造のポンプの原理を利用して容器の内容物を吐出させるためのスプレーヘッドである。係る原理を応用した技術は周知の技術であって、当業者の熟知するものある。よって、エアバルブ構造などについては以下の説明においては詳細に説明しない。ただ、この考案によるデザインを変更する際のコストを節減する構造の特徴を詳述するために、図面を参照にして以下に説明する。当然のことながら本考案の図面は、本考案によるスプレーヘッドの構造の特徴を説明するためのものであって、製品を製造する際のサイズなどを限定するものではない。
【００２７】
図１にこの考案によるスプレーヘッド１００を開示する。図面の開示によればスプレーヘッド１００は、中空の押し圧部１０と、押し圧部１０の側面の一方に突出して形成される吐出口２０とを具え、吐出口２０から、ボディソープ、シャンプーなどを収納した容器（図示しない）の内容物を吐出する。
【００２８】
押し圧部１０は本体１１と、キャップ体１２とを具え、キャップ体１２は本体１１上に着脱自在に設ける。
【００２９】
図２は、この考案によるスプレーヘッド１００の断面図である。図面に開示するように、本体１１の上端には突縁１１１を形成し、キャップ体１２の内周面に係合端１２１を形成する。よって、キャップ体１２を本体１１上に設ける場合、キャップ体１２の係合端１２１を本体１１の突縁１１１に係合させることで、キャップ体１２を本体１１に固定することができる。
【００３０】
上述する構造によれば、スプレーヘッド１００は、商品のニーズなどに合わせてキャップ体１２のデザインを変更しても、本体１１は共有の金型で製造することができる。即ち、商品のデザインを変更する場合、異なる意匠のキャップ体１２を本体１１に設ければよく、本体１１を製造するための金型を変更する必要がない。よって金型の作成費用を節減することができ、大量生産した場合、製造コストを大幅に低減させることができる。
【００３１】
また、本体１１には、さらにガイド部１１４を設け、キャップ体１２には、ガイド部１１４に対応する位置に位置決め部１２４を形成する。本体１１のガイド部１１４は、キャップ体１２を本体１１上に設ける場合、キャップ体１２をガイドして位置決めさせる作用を有する。ガイド部１１４と位置決め部１２４は、対応する形状にする。実施例において、ガイド部１１４は凹溝とし、位置決め部１２４は凸出した形状に形成するが、但し、キャップ体１２をガイドして位置決めさせる作用が得られるのであれば、これら形状に限らない。
【００３２】
また、押し圧部１０の本体１１上面の形状と、キャップ体１２の底面形状は、中心を共有する円形にする。このため、押し圧部１０を押し圧する力が集中し、押し圧部１０を押し圧して容器内の内容物を吐出する操作が容易になる。
【００３３】
キャップ体１２は、本体１１の突縁１１１に対応する形状の嵌合空間１２３を形成し、嵌合空間１２３を形成したキャップ体１２の内周面に係合端１２１を形成する。よって、図３に開示するように、キャップ体１２を本体１１上に設ける場合、突縁１１１が嵌合空間１２３内に嵌合し、完全に収納される。
【００３４】
図４に開示するように、キャップ体１２と本体１１とをさらに確実に固定するために、係合端１２１には内周面から内方向に向かって突起する鉤形部１２２を形成する。鉤形部１２２とキャップ体１２の内周面とによって形成される角度は９０度より小さくする。また、突縁１１１の鉤形部１２２に対応する位置には、鉤形部１２２が係止する係止部１１２を形成する。好ましくは鉤形部１２２と係止部１１２は互いに対応する形状にする。かかる構造によれば、キャップ体１２と本体１１とは、さらに安定した固定が得られる。
【００３５】
また、この考案におけるスプレーヘッド１００のキャップ体１２と本体１１は、材質について特に制限しない。キャップ体１２と本体１１とを同じ材質にしても、異なる材質してもかまわない。好ましくは、係合端１２１を弾性を有する材質とすることによって、キャップ体１２を本体１１上に弾力をもって設けることができる。
【００３６】
図５、５Ａに開示するように、この考案によるスプレーヘッド１００は、固定キャップ３０と、緩衝部１１３と、バルブ構造部４０と、汲み取り管５０とを具える。
【００３７】
固定キャップ３０はボディソープなどを収納した容器（図示しない）の口部に連結する。
【００３８】
緩衝部１１３は中空の管体であって、固定キャップ３０を貫通して上端が本体１１に嵌挿し、下端がバルブ構造部４０に接続し、押し圧部１０が往復運動をするために供する。
【００３９】
バルブ構造部４０は、上端が緩衝部１１３に連結し、下端が汲み取り管５０に接続する  。
【００４０】
押し圧部１０は押し圧することによって、バルブ構造部４０がサイフォンの原理で容器内の液体を汲み取り管５０から吸引して、吐出口２０から吐出する。但し、バルブ構造部４０の構造と作用は周知の技術に属するので、詳述しない。
【００４１】
この考案によるスプレーヘッド１００は、さらに断面がＣ字状を呈するストッパー６０を着脱自在に設ける。ストッパー６０のＣ字状の部分は、緩衝部１１３に対応した形状を呈する。ストッパー６０の上端を本体１１に当止する当止端６１とする。よって、図６に開示するようにストッパー６０を緩衝部１１３に嵌着すると、ストッパー６０が押し圧部１０の上下への往復運動を阻止するので、予期せず押し圧部１０が押し圧を受けて容器の内容物が吐出口２０から吐出することを防ぐ。
【００４２】
図６Ａから図６Ｃに開示するように、この考案によるスプレーヘッド１００は、異なる形状のキャップ体１２とストッパー６０に取り換えることができ、消費者のニーズに合わせて商品のデザインを変更することができる。
【００４３】
以上はこの考案の好ましい実施の形態であって、この考案の実施の範囲を限定するものではない。よって、当業者のなし得る修正、変更などであって、この考案の精神の下においてなされ、この考案に対して均等の効果を有するものは、いずれもこの考案の実用新案登録請求の範囲に属するものとする。
【符号の説明】
【００４４】
１００      スプレーヘッド
１０        押し圧部
１１        本体
１１１      突縁
１１２      係止部
１１３      緩衝部
１１４      ガイド部
１２        キャップ体
１２１      係合端
１２２      鉤形部
１２３      嵌合空間
１２４      位置決め部
２０        吐出口
３０        固定キャップ
４０        バルブ構造部
５０        汲み取り管
６０        ストッパー
６１        当止端
【図１】
0003179409.tif 000003
【図２】
0003179409.tif 000004
【図３】
0003179409.tif 000005
【図４】
0003179409.tif 000006
【図５】
0003179409.tif 000007
【図５Ａ】
0003179409.tif 000008
【図６】
0003179409.tif 000009
【図６Ａ】
0003179409.tif 000010
【図６Ｂ】
0003179409.tif 000011
【図６Ｃ】
0003179409.tif 000012